(57)【要約】【課題】  本願は、屋根上に取り付けやすい屋根上設置物の取り付け金具に関する。また、本願は、ゆがんだ屋根に対しても屋根上設置物を安定した状態に取り付けることができる取り付け金具に関する。【構成】  本願は、回動軸によって固定部材と載置部材が一体化された屋根上設置物の取り付け金具である。固定部材は、固定部を有し、固定部の上方が開口している。載置部材は、回動により開口を開閉自在である。取り付け金具が固定部によって屋根上に取り付けられた後に、載置部材が固定部材の開口を閉じた状態に、係止手段によって係止される。【選択図】  図１
2015068015.tif 000002
【特許請求の範囲】
【請求項１】
回動軸によって固定部材と載置部材が一体化された屋根上設置物の取り付け金具であって、
前記固定部材は、
固定部を有し、
該固定部の上方が開口しており、
前記載置部材は、
回動により前記開口を開閉自在であり、
前記取り付け金具が前記固定部によって屋根上に取り付けられた後に、
前記載置部材が前記固定部材の開口を閉じた状態に、
係止手段によって係止される
屋根上設置物の取り付け金具。
【請求項２】
前記固定部材は、
揺動軸を有しており、
該揺動軸に前記回動軸が、
略直角の向きに組み合わされており、
前記取り付け金具が前記固定部によって屋根上に取り付けられた後に、
前記載置部材が前記固定部材の開口を閉じた状態に、
前記揺動軸の同軸上に配置された係止具によって係止される
請求項１の屋根上設置物の取り付け金具。
【発明の詳細な説明】
【技術分野】
【０００１】
本願は、屋根上に取り付けやすい屋根上設置物の取り付け金具に関する。また、本願は、ゆがんだ屋根に対しても屋根上設置物を安定した状態に取り付けることができる取り付け金具に関する。
【背景技術】
【０００２】
図８は、中間ボルト体２０を用いる屋根上取付具である。屋根載置部１２の両端部より上方に折曲延出させた一対の支持脚１３・１３をさらに折曲延出させ突き合わせてなる屋根上物品取付部１１が設けられている。また、屋根上物品取付部１１の中央には、屋根載置部１２のボルト挿通孔１２ａに通じる取付開口１１ａが設けられている。
【０００３】
図９は、上部分割体１１と下部分割体１２からなる外装パネルの取付装置１０である。予め、取付装置１０を上部分割体１１と下部分割体１２に分割しておく。そして、下部分割体１２を屋根板材４（１）に固定した後、上部分割体１１と下部分割体１２を連結する。その連結手段として、ボルト３５を用いる。このボルト３５・３５は、上部分割体１１と下部分割体１２の両側面に挿通される。
【先行技術文献】
【特許文献】
【０００４】
【特許文献１】特許第５２３００２９号公報
【特許文献２】特開２０１２−１２７１１７号公報
【発明の概要】
【発明が解決しようとする課題】
【０００５】
図８は、屋根上物品取付部１１の中央には、屋根載置部１２のボルト挿通孔１２ａに通じる取付開口１１ａが設けられている。この取付開口１１ａが設けられているために、屋根上物品取付部１１に屋根上設置物が取り付けにくかった。その結果、取り付けるためのコストの上昇や、設置強度の低下を招いていた。
【０００６】
また、図８は、屋根載置部１２の両端部より上方に折曲延出させた一対の支持脚１３・１３をさらに折曲延出させ突き合わせてなる屋根上物品取付部１１が設けられている。そのため、屋根材がゆがんでいる場合に、屋根上設置物を取り付けることが困難であった。また、取り付けることができたとしても、安定した状態の取り付けではなかった。
【０００７】
図９は、危険が多い屋根上での取り付け工事において、完全に分割された上部分割体１１と下部分割体１２同士の側面の穴位置を合わせ、そこにボルト３５を挿通して締め込むという作業を、１つの取付装置に対して左右２回行う必要がある。このように、大変取り付けにくい取付装置であった。
【０００８】
図９は、完全に分割された上部分割体１１と下部分割体１２同士の側面の穴位置を合わせ、そこにボルト３５を挿通して締め込むといった取り付け装置を組み立てる作業を、屋根上で行う必要があった。そのため、上部分割体１１、ボルト３５などの部品を屋根から落下させてしまう恐れがあり、危険であった。
【課題を解決するための手段】
【０００９】
本願は、回動軸によって固定部材と載置部材が一体化された屋根上設置物の取り付け金具である。固定部材は、固定部を有し、固定部の上方が開口している。載置部材は、回動により開口を開閉自在である。取り付け金具が固定部によって屋根上に取り付けられた後に、載置部材が固定部材の開口を閉じた状態に、係止手段によって係止される。
【００１０】
また、本願は、上記に加え、次のような構成要素を有する屋根上設置物の取り付け金具である。固定部材は、揺動軸を有している。その揺動軸に回動軸が、略直角の向きに組み合わされている。取り付け金具が固定部によって屋根上に取り付けられた後に、載置部材が固定部材の開口を閉じた状態に、揺動軸の同軸上に配置された係止具によって係止される。
【発明の効果】
【００１１】
本願は、回動軸によって固定部材と載置部材が一体化された屋根上設置物の取り付け金具である。そのため、載置部材を回動させ、固定部材の開口を開き、固定部によって屋根上に固定することができる。固定した後、載置部材が固定部材の開口を閉じた状態に、係止手段によって係止される。このように、回動軸によって固定部材に載置部材が一体化されている構造によって、屋根上に取り付けやすく、また、載置部材によって安定した状態に屋根上設置物を取り付けることができる。さらに、回動軸によって固定部材に載置部材が一体化されている構造によって、部品を屋根から落下させてしまう危険がない。その上、載置部材に立設ボルトなどの別部材を容易に組み合わせることができる。そのため、屋根上設置物の取り付けを容易にすると共に、取り付けコストの低減が実現できる。
【００１２】
本願は、載置部材が固定部材の開口を閉じた状態に、揺動軸の同軸上に配置された係止具によって係止される。そのため、この揺動軸及び係止具を軸にして、載置部材が揺動する。したがって、屋根材がゆがんでいる場合であっても、載置部材の揺動によって、屋根上設置物を安定した状態に取り付けることが可能である。
【００１３】
本願は、回動軸によって固定部材と載置部材が一体化された屋根上設置物の取り付け金具であり、取り付け金具が固定部によって屋根上に固定された後に、載置部材が固定部材の開口を閉じた状態に、係止手段によって係止される。このように、屋根上への取り付け後、係止手段で１か所を係止するだけで良い。しかも、固定部材と載置部材が回動軸によって一体化されていることによって、複数の部材を屋根上で組み合わせる手間がない。
【図面の簡単な説明】
【００１４】
【図１】本願の屋根上設置物の取り付け金具の第１の実施例を示す説明図である。
【図２】本願の屋根上設置物の取り付け金具の第１の実施例を示す説明図である。
【図３】本願の屋根上設置物の取り付け金具の第１の実施例を示す説明図である。
【図４】本願の屋根上設置物の取り付け金具の第２の実施例を示す説明図である。
【図５】本願の屋根上設置物の取り付け金具の第２の実施例を示す説明図である。
【図６】本願の屋根上設置物の取り付け金具の第２の実施例を示す説明図である。
【図７】本願の屋根上設置物の取り付け金具の第２の実施例を示す説明図である。
【図８】従来技術を示す説明図である。
【図９】従来技術を示す説明図である。
【実施例】
【００１５】
本願の屋根上設置物の取り付け金具の実施例について、図面に基づいて説明する。図１から図３までが第１の実施例の説明図である。図４から図７までが第２の実施例の説明図である。
【００１６】
はじめに、本願において屋根上設置物とは、屋根の上に取り付けられるもの一般を指す。たとえば、太陽光発電パネルなどが代表的である。なお、本願においては、太陽光発電パネルを取り付けるための部材なども、屋根上設置物に含まれる。
【００１７】
本願における屋根は、葺設されている屋根材の種類を問わない。そのなかでも、山部及び谷部を有する形状の屋根材が最適である。たとえば、重ね折板などがあげられる。
【００１８】
まず、第１の実施例について説明する。図１は載置部材が固定部材の開口を閉じた状態の斜視図、図２は載置部材が固定部材の開口を開いた状態の側面図、図３は載置部材が固定部材の開口を閉じた状態の側面図である。
【００１９】
本願の屋根上設置物の取り付け金具は、回動軸１によって固定部材２と載置部材３が一体化されている。本実施例において回動軸１は、ボルトである。本実施例のように、回動軸１は固定部材２及び載置部材３と別体であってもよい。また、固定部材２と載置部材３のどちらか一方に軸形状の部分、他方に軸受形状の部分を形成して組み合わせてもよい。
【００２０】
本願の屋根上設置物の取り付け金具は、固定部材２を有する。この固定部材２は、固定部２１１を有する。本実施例において固定部２１１は、固定用孔である。この固定部２１１は、本願の屋根上設置物の取り付け金具を屋根上に固定するための部分である。たとえば、あらかじめ屋根にあけられた孔にその固定用孔の位置をあわせて、固定用孔側から固定具Ｆとしてワンサイドボルトを挿通し、締め付けて固定される。ただし、ワンサイドボルトを利用するのは一例であり、固定具Ｆとしてターンナット及びボルトを挿通して締め付けたり、重ね折板の剣先ボルトを固定用孔に挿通してそれを利用して固定したりしても良い。さらに、固定用孔でなくともよく、屋根上に本願の屋根上設置物の取り付け金具を固定するための構成要素であればよい。なお、固定部材２と屋根材との間に止水材を介在させてもよい。
【００２１】
固定部材２は、固定部２１１の上方が開口している。本実施例において固定部材２は、底面２１と２つの立面２２・２２で形成される断面略倒コ字状である。本実施例では、側方にも開口がある。このように、上方以外の方向に開口があってもよい。なお、この形状は一例にすぎず、上方のみが開口された箱型であってもよい。また、立面２２・２２の両端を内側又は外側に折り曲げて、立面２２・２２の補強加工をしても良い。
【００２２】
開口２３は、固定部２１１に固定具Ｆを挿通して締め付ける場合などに使われる。そのため、開口２３は、締付工具を使って締付作業ができる大きさ・形状であるのが望ましい。そのため、上方以外にも開口があると、作業スペースが広くなるので、屋根上への固定作業がより一層しやすい。
【００２３】
そのほか、固定部材２の固定部２１１のある底面２１において立面２２・２２のない側の両端に、折り下げ部２１２・２１２を形成してもよい。この折り下げ部２１２・２１２は、山部と谷部を有する屋根材に本願の屋根上設置物の取り付け金具を取り付ける場合に、設置位置・向きを決める役割を果たす。さらに、折り下げ部２１２・２１２は、固定部２１１に固定具Ｆなどを締め込んだ際に、固定部材２が供回りすることを規制する役割も果たす。それに加えて、折り下げ部２１２・２１２は、底面２１を補強する効果、雨水を導水する効果もある。
【００２４】
本願の屋根上設置物の取り付け金具は、載置部材３を有する。載置部材３は、上面３１側に、屋根上設置物が取り付けられるものである。本実施例では、上面３１に載置部３１１及びボルト保持部３１２を有する。屋根上設置物の取り付けに当たっては、載置部材３が固定部材２の開口２３を閉じた状態に、係止手段によって係止された後、屋根上設置物が載置部３１１に載置される。そして、ボルト保持部３１２に保持された立設ボルトに押え部材などが組み合わされて、ナットで締め付けられる。こうすることで、屋根上設置物が載置部材３上に取り付けられる。
【００２５】
本願の屋根上設置物の取り付け金具は、載置部材３が回動により固定部材２の開口２３を開閉自在である。本実施例においては、載置部材３の裏面３２側に軸受３２１が形成されており、回動軸１によって固定部材２の一方の立面２２と丁番状に組み合わされる。本実施例においては、固定部材２の他方の立面２２の上端に対して、近接・離反する方向に載置部材３が回動する。なお、載置部材３が回動する方向はこの方向に限定するものではなく、上面３１の向き及び高さ位置を維持して開口２３上をスイングするような方向に回動してもよい。
【００２６】
本実施例の屋根上設置物の取り付け金具は、次のように取り付けられる。本実施例では、山部と谷部を有する屋根材に取り付ける場合で説明する。はじめに、屋根材の山部に孔をあける。孔をあけた山部に、本願の屋根上設置物の取り付け金具を載せる。このとき、立面２２・２２が屋根の軒棟方向に向くように載置し、載置部材３が固定部材２の開口２３を開いた状態にする。そして、屋根材の山部の孔と固定用孔（固定部２１１）の位置を合わせて、固定用孔側から固定具Ｆとしてワンサイドボルトを挿通して締め付ける。なお、本願の屋根上設置物の取り付け金具と屋根材との間に止水材を介在させてもよい。そのあと、載置部材３が固定部材２の開口２３を閉じた状態にして、係止手段によって載置部材３を係止する。
【００２７】
本実施例において係止手段は、ボルト４１及びナット４２、係止用部材４３を組み合わせた係止具４である。本実施例では、固定部材２に係止具挿通孔が形成され、載置部材３に被係止部３２２ａが形成されている。本実施例において係止具挿通孔は、固定部材２の立面２２に形成されている。固定部材２の内側には、ボルト頭部４１１の回り止め部材２４が組み合わされている。その固定部材２の立面２２と回り止め部材２４の間にボルト頭部４１１が回り止め状態に挟持保持され、ボルト軸部４１２が係止具挿通孔から外側に突出している。一方、載置部材３には、裏面３２側に垂下面３２２が形成されており、そこに被係止部３２２ａが略逆Ｕ字状の切り欠きとして形成されている。また、垂下面３２２の下端には、外側に突出する抜止片３２２ｂが形成されている。
【００２８】
係止具挿通孔から外側に突出されたボルト軸部４１２に、被係止部３２２ａが組み合わされる。そして、そのボルト軸部４１２に係止用部材４３が挿通され、ナット４２が締め込まれる。この係止用部材４３とは、略四角形状であって、略中央部にボルト軸部４１２を挿通できる孔を有する板材である。
【００２９】
係止具挿通孔の内側には、ボルト頭部４１１が回り止め部材２４によって保持されている。そのため、ナット４２を締め込むだけで載置部材３を係止できる。また、ナット４２を締め込むと、係止用部材４３が垂下面３２２の抜止片３２２ｂの上方の位置に近接又は当接される。その結果、屋根上設置物に負圧が掛かったときには、抜止片３２２ｂが係止用部材４３の下端に引っ掛かり、載置部材３が固定部材２から外れない構造になっている。
【００３０】
さらに、被係止部３２２ａは、略逆Ｕ字状の切り欠きなので、本願の屋根上設置物の取り付け金具にあらかじめ係止用部材４３とナット４２を取り付けておくことができる。その結果、被係止部３２２ａをボルト軸４１２に対して上からかぶせるように組み合わせて、あらかじめ緩めに組み合わされていたナット４２を締め付けるだけでよい。このように、容易に載置部材３を固定部材２に係止できる。
【００３１】
ただし、係止手段として上記のようにボルト４１及びナット４２、係止用部材４３を組み合わせた係止具４を用いること、また、上記のような固定部材２と載置部材３との係止構造にすることは一例である。したがって、別の係止方法、係止構造となる係止手段を用いてもよい。たとえば、固定部材２と載置部材３がお互いに嵌合する形状にして、嵌合させて係止させてもよい。係止手段は、正圧や負圧を受けても屋根上から屋根上設置物を落下させない程度の強度が確保できれば、いかなる係止手段であってもよい。
【００３２】
次に、第２の実施例について説明する。図４は載置部材が固定部材の開口を閉じた状態の斜視図、図５は載置部材が固定部材の開口を開いた状態の側面図、図６は載置部材が固定部材の開口を閉じた状態の側面図、図７は載置部材が揺動する状態を示す背面図である。
【００３３】
本願の屋根上設置物の取り付け金具において、固定部材２は揺動軸２５を有する。本実施例において揺動軸２５は、固定部材２の立面２２に対して略垂直方向に外側から挿通されたボルトである。ただし、揺動軸２５はボルトに限定するものではない。固定部材２に対して揺動自在に回動軸１及び載置部材３を軸支できるものであればよい。
【００３４】
その揺動軸２５に回動軸１が、略直角の向きに組み合わされている。本実施例では、ジョイント部材５を介して揺動軸２５と回動軸１が略Ｔ字状に組み合わされている。本実施例においてジョイント部材５は、固定部材当接面５１と、その両端を略直角を形成するように立ち上げた２つの回動軸保持面５２・５２を有する。固定部材当接面５１及び２つの回動軸保持面５２・５２には、それぞれ孔が形成されている。固定部材当接面５１の孔には揺動軸２５が、２つの回動軸保持面５２・５２には回動軸１が挿通されている。こうして、ジョイント部材５は、揺動軸２５に軸支された状態で、固定部材２に組み合わせられる。本実施例では、揺動軸２５によって、回動軸１が固定部材２の立面２２と平行方向に揺動する。
【００３５】
本実施例の屋根上設置物の取り付け金具の屋根上への固定、及び載置部材３の係止は、第１の実施例とほぼ同じである。ただし、載置部材３は、揺動軸２５の同軸上に配置された係止具４によって係止される。そうすることによって、同軸上に配置された揺動軸２５と係止具４が軸となり、固定部材２に載置部材３が揺動自在に組み合わせられる。載置部材３が固定部材２に揺動自在に組み合わされることによって、屋根材にゆがみがあったとしても、屋根上設置物を安定した状態に取り付けることができる。
【符号の説明】
【００３６】
１        回動軸
２        固定部材
２１      底面
２１１    固定部
２１２    折り下げ部
２２      立面
２３      開口
２４      回り止め部材
２５      揺動軸
３        載置部材
３１      上面
３１１    載置部
３１２    ボルト保持部
３２      裏面
３２１    軸受
３２２    垂下面
３２２ａ  被係止部
３２２ｂ  抜止片
３２３    内側垂下面
３２３ｂ  抜止片
４        係止具
４１      ボルト
４１１    ボルト頭部
４１２    ボルト軸部
４２      ナット
４３      係止用部材
５        ジョイント部材
５１      固定部材当接面
５２      回動軸保持面
Ｆ        固定具
【図１】
2015068015.tif 000003
【図２】
2015068015.tif 000004
【図３】
2015068015.tif 000005
【図４】
2015068015.tif 000006
【図５】
2015068015.tif 000007
【図６】
2015068015.tif 000008
【図７】
2015068015.tif 000009
【図８】
2015068015.tif 000010
【図９】
2015068015.tif 000011